(57)【要約】【課題】冊子に付箋や紐栞を使用する利便性を高め、高齢者であっても所望のページのページ起こしを簡易にするとともに、携帯することを楽しくしてメモ書きや読書の頻度の普及ならしめることが可能な付箋ホルダーを提供する。【解決手段】付箋ホルダーは、付箋束４０を保持した付箋保持部１０と、付箋保持部と一体に備えられ紐栞５０を取り付けた栞取り付け部２０と、付箋保持部に備えられ冊子Ｂの所定箇所に差し込む差込部３０とからなる。紐栞取り付け部２０は、上面から紐栞を収容して保持することが可能な紐栞装着溝２２と脱落防止手段を有し、紐栞をスライド可能に保持するる。紐栞の一端５１及び他端５２に、それぞれ、ストッパー部６０が着脱可能に固定され、紐栞５０の他端５２のストッパー部には、消しゴムＥを収容可能な消しゴムホルダー７０が着脱可能に固定されている。【選択図】図１
0003129599.tif 000002
【実用新案登録請求の範囲】
【請求項１】
付箋束を保持した付箋保持部と、
付箋保持部と一体に備えられ、紐栞を取り付けた栞取り付け部と、
前記付箋保持部と紐栞取り付け部のいずれか一方若しくは双方に一体に備えられ、冊子の所定箇所に差し込む差込部とからなる
ことを特徴とする付箋ホルダー。
【請求項２】
差込部は複数備えられ、
該複数の差込部を、それぞれ、付箋保持部と紐栞取り付け部のいずれか一方若しくは双方に一体に備えた
ことを特徴とする請求項１に記載の付箋ホルダー。
【請求項３】
付箋保持部は、
一辺側が剥離可能に綴られた付箋束を貼付して保持可能な貼付領域を有する所定長さの板状体に形成されるとともに、
少なくとも付箋束の他辺側をカバーしたカバー部を備えたことを特徴とする請求項１又は２に記載の付箋ホルダー。
【請求項４】
栞取り付け部は、
紐栞をスライド可能に保持して長さ調整可能に構成されていることを特徴とする請求項１〜請求項３のいずれかに記載の付箋ホルダー。
【請求項５】
栞取り付け部は、
紐栞を収容する紐栞装着溝と、
該紐栞装着溝から紐栞の脱落を防止する脱落防止手段と
を備えたことを特徴とする請求項４に記載の付箋ホルダー。
【請求項６】
脱落防止手段は、紐栞装着溝の開口部の間隙が、紐栞の紐幅と同幅又は幅狭に形成されたことを特徴とする請求項５に記載の付箋ホルダー。
【請求項７】
脱落防止手段は、紐栞装着溝の開口部に蓋部材を固定したことを特徴とする請求項５に記載の付箋ホルダー。
【請求項８】
紐栞の少なくとも一端には、前記栞取り付け部と当接して紐栞の抜け落ちを防止するストッパー部が着脱可能に固定されたことを特徴とする請求項４〜請求項７のいずれかに記載の付箋ホルダー。
【請求項９】
紐栞の一端には、前記栞取り付け部と当接して紐栞の抜け落ちを防止するストッパー部が着脱可能に固定され、
紐栞の他端には、消しゴムを収容可能な消しゴムホルダーが着脱可能に固定されたことを特徴とする請求項４〜請求項８のいずれかに記載の付箋ホルダー。
【請求項１０】
差込部は弾性材で形成されたことを特徴とする請求項１〜請求項９のいずれかに記載の付箋ホルダー。
【考案の詳細な説明】
【技術分野】
【０００１】
本考案は、冊子の表紙に着脱可能な付箋ホルダーに関する。
なお、本明細書において冊子とは、読書に供される書物のみならず、手帳、例えば会議等で使用されるシステム手帳やバインダー等、及び筆記用のノートも含む概念である。また、冊子の表紙とは、表表紙及び裏表紙、背表紙を含む概念であって、冊子の中身を保護する全ての外装領域を含む概念である。
【背景技術】
【０００２】
従来から冊子において、後から読み返しが予想されるページには、その余白部分や行間に鉛筆やシャープペンシル等でマーキングを行ったり、後日参考資料としたい記載の目印やその記載部分にメモ書きを残したりしたいという要望がある。
しかし、余白部分や行間には限りがあるのでマーキングやメモ書きが余白に収まらなかったり、或いは、一時的に当該マーキングやメモ書きが必要な場合には、その書き込みが恒久的に残ると後から煩わしさが生じたりすることもある。
そこで、冊子の注目部分に付箋を貼りつけて書き込み可能な領域を拡張し、その付箋にマーキングを行ったりメモ書きを残したりすることで、注目部分に対する注意喚起や内容の補足とするとともに、その書き込みが不要になった場合には、書き込みごと付箋を剥がすことが一般的に行われている。
【０００３】
また、冊子を閉じた後から所望のページを捲り起こす作業を簡易にする手段として、当該ページに挟んで目印とする栞が用いられている。
栞が用いられる場合には、一般的には、紐状体からなる紐栞や、薄紙からなる短冊等を所望のページからはみ出すように挟んで書籍を閉じることにより、後に所望ページを開く際の目印としている。
【０００４】
このように冊子と付箋や栞とは密接な関係を有しているが、冊子を読む際に付箋や栞が側にあるとは限らず、上記のように注目部分に書き込みを行ったり、所望ページに目印をつけたりする必要がある場合には、その都度付箋や栞を探す手間がかかっていた。
また、昨今は、何事にも効率が求められられることから、冊子を読む際に付箋や栞をすぐに使用できる利便性も求められ、そのような要求に対処するために、あらかじめ付箋や栞を用意しておく煩わしさがあった。
【０００５】
そこで、従来から冊子に付箋や栞を付着させる提案がなされており、例えば特許文献１では、書籍雑誌等の特定頁の表面に付箋を予め平面状に並列して貼り付けておき、必要に応じてそこから付箋を剥がして使用するものである。
あるいは、特許文献２では、一端に環部を形成した紐栞の他端を冊子の背表紙に巻回すとともに該環部に挿入することで冊子に紐栞を付着させるものである。
【０００６】
【特許文献１】登録実用新案第３０４９３５１号公報
【特許文献２】実開平７−１７５６３号公報
【考案の開示】
【考案が解決しようとする課題】
【０００７】
この考案の目的は、冊子に付箋や紐栞を使用する利便性を高め、高齢者であっても所望のページのページ起こしを簡易にするとともに、携帯することを楽しくしてメモ書きや読書の頻度の普及ならしめることが可能な付箋ホルダーを提供することである。
【課題を解決するための手段】
【０００８】
上記課題を達成するために、本考案が成した技術的手段は、付箋束を保持した付箋保持部と、付箋保持部と一体に備えられ、紐栞を取り付けた栞取り付け部と、前記付箋保持部と紐栞取り付け部のいずれか一方若しくは双方に一体に備えられ、冊子の所定箇所に差し込む差込部とからなることを特徴とする付箋ホルダーとしたことである。また、差込部は複数備えられ、該複数の差込部が、それぞれ、付箋保持部と紐栞取り付け部のいずれか一方若しくは双方に一体に備えられていても良い。
【０００９】
その付箋保持部は、一辺側が剥離可能に綴られた付箋束を貼付して保持可能な貼付領域を有した所定長さの板状体に形成されるとともに、少なくとも付箋束の他辺側をカバーしたカバー部を備えている場合もある。また、栞取り付け部は、紐栞をスライド可能に保持して長さ調整可能に構成されている場合もある。その栞取り付け部は、紐栞を収容した紐栞装着溝と、該紐栞装着溝から紐栞の脱落を防止する脱落防止手段とを備えていても良い。その脱落防止手段は、紐栞装着溝の開口部の間隙が、紐栞の紐幅と同幅又は幅狭に形成されていても良く、或いは、紐栞装着溝の開口部に蓋部材を固定しても良い。
また、紐栞の少なくとも一端には、前記栞取り付け部と当接して紐栞の抜け落ちを防止するストッパー部が着脱可能に固定される場合もあり、さらに、紐栞の他端には、消しゴムを収容可能な消しゴムホルダーが着脱可能に固定されていても良い。なお、差込部は弾性材で形成されていても良い。
【考案の効果】
【００１０】
本考案によれば、冊子に付箋や紐栞を使用する利便性を高め、高齢者であっても所望のページのページ起こしを簡易にするとともに、携帯することを楽しくしてメモ書きや読書の頻度の普及ならしめることが可能な付箋ホルダーを提供することができるようになった。
【考案を実施するための最良の形態】
【００１１】
以下、本考案の一実施の形態に係る付箋ホルダーについて、添付図面に基づいて説明する。なお、本実施形態は本考案の一実施形態にすぎず、何等これらに限定して解釈されるものではなく、本考案の範囲内で設計可能である。
【実施例１】
【００１２】
本実施例による付箋ホルダーは、図１に示すように、付箋束４０を保持した付箋保持部１０と、紐栞５０を取り付けた栞取り付け部２０と、冊子Ｂの所定箇所に差し込む差込部３０を備え、付箋保持部１０の背面上部と栞取り付け部２０が一体に備えられ、その栞取り付け部２０の背面と差込部３０が一体に備えられ構成となっている。
【００１３】
ここで、付箋束４０とは、単票に裁断された薄紙であって、その裏面の一辺側領域に剥離貼付自在な接着剤を塗布してなる所謂付箋４１が束状に積み重ねられたものを指す。該付箋４１は、該付箋束４０を表側から一枚ずつ剥離するとともに、冊子等の頁の所望個所に貼付され、付箋４１の表面にマーキングやメモ書きを残して補足説明として使用する他、後から読み返したい記載部分の目印としても使用される。
付箋４１のサイズは、メモ書きの多少の要望により各種のサイズが市販されているが、冊子等の頁に貼付して使用する場合には、細長いサイズに裁断された短冊状の付箋紙４１されることが多い。
また、紐栞５０は、所定長さの紐体であって、冊子Ｂの所望の頁に挟み込むことにより、該頁を後から開く場合の目印とするものである。
なお、付箋ホルダーは、図７に示すように、差込部３０を冊子Ｂの所定箇所（例えば表紙の裏側）に差し込んで使用する。
【００１４】
該付箋保持部１０は、所定長さの板状に形成され、その表面には、付箋束４０を貼付して脱落しないように保持することが可能な貼付領域を有している。
本実施例による付箋保持部１０の貼付領域は、上記一般的に使用される付箋４１による付箋束４０を収容可能な大きさに形成されれば良い。本実施例では一例として、長さ（高さ）７５ｍｍ、幅１５ｍｍの縦長の長方形に形成されている。
なお、付箋保持部１０に付箋束４０を貼付する場合には、付箋束４０の最裏側の付箋４１に塗布された接着剤の粘着力を利用して貼付固定すれば良い。また、別途両面粘着テープ等により貼付しても良い。
【００１５】
さらに、付箋保持部１０の表面側には、少なくとも付箋束４０を貼付した場合に接着剤が塗布されていない他辺側が配される領域をカバーするカバー部１１が備えられている。
該カバー部１１は、本実施例では、付箋保持部１０の両側辺１０ａ，１０ｂから前方（図中矢印参照）に向けて所定長さで延出した左右の側板１４，１５と、前記側板１４，１５の前辺間の下側領域を連結する下側前板１６と、付箋保持部１０の板面、前記側板１４，１５及び下側前板１６の各下辺で囲まれた底面を塞ぐ底板１７と、基端側が栞取り付け部２０に回動自在に固定されるとともに前記側板１４，１５の上辺間に嵌合して蓋を構成する上蓋１２と、その上蓋１２の前縁から回動自在にから延出した前板１３とで構成されている。
この場合において、側板１４，１５の突出寸法は、本実施例では一例として、１０ｍｍの奥行きで形成されている。
【００１６】
付箋保持部１０の材質は、本実施例では、合成樹脂が採用され、前記付箋保持部１０と側板１４，１５と下側前板１６及び底板１７が一体に成形されている。材質として合成樹脂が採用されることにより、成形の容易であり且つ耐久性と軽量性を確保することができる。なお、付箋束４０が確実に保持され、カバーされる限りにおいて他の材質が採用されても良い。例えば、材質として紙や金属板或いは木板が採用されても良い。
また、前記付箋保持部１０と側板１４，１５と下側前板１６及び底板１７は、それぞれ別体に成形され、接着若しくは融着によって組み立てられても良い。
【００１７】
側板１４，１５と上蓋１２の嵌合については、側板１４，１５の上辺１４ａ，１４ｂに嵌合構造、例えば小突起（図示しない）を備え、その小突起間に上蓋１２が嵌合する構造とすれば良い。或いは、上蓋１２を栞取り付け部２０の後端側の上面に固定し、上蓋１２の弾性によって、上蓋１２が側板１４，１５の上辺１４ａ，１４ｂ間に嵌合保持される構成であっても良い。また、上蓋１２が側板１４，１５の上辺１４ａ，１４ｂ間に嵌合されれば、他の嵌合構造が採用されていても良い。
【００１８】
なお、本実施例では、側板１４，１５はその略中央部分に前方側に広がった円弧状の切り欠きを有している。これにより、付箋束４０を左右方向から手指で摘まみ易くなり使用者の利便性が向上する。
下側前板１６は、上辺側に広がった円弧状の切り欠きを有している。これにより、付箋束４０を付箋保持部１０に貼り付け易くなる。
また、前板１３は、先端側にむけて先細りの円弧形状となっている。
本実施例では一例として、カバー部１１を上記形状に形成したが、カバー部１１が付箋束４０の他辺側領域をカバーする限りにおいて、他の形状とされていても本考案の技術的範囲内である。
さらに、上述したカバー部１１の構成では、上蓋１２、前板１３、側板１４，１５、下側前板１６及び底板１７を備えたが、他の構成であっても良い。例えば、上蓋１２、下側前板１６及び底板１７を備えず、前板１３とその前板１３の長さに合わせた側板１４，１５でカバー部が形成されていても良い（図３参照）。
【００１９】
栞取り付け部２０は、奥行き方向に所定寸法を有するとともに、前記付箋保持部１０と同幅に形成され、その上面から紐栞を収容して保持することが可能に構成されている。
具体的には、上面が開口して、栞取り付け部２０の幅方向一端から他端にわたって刻設した紐栞装着溝２２と紐栞の脱落防止手段とからなる。
紐栞装着溝２２は紐栞５０の紐幅よりも大きな内側空間を備えた凹部形状を有している。その紐栞装着溝２２には、紐栞５０が溝に沿って収容され、これにより、紐栞５０がスライド可能に保持される。
脱落防止手段は、栞取り付け部２０から紐栞５０が脱落することを防止するために備えられ、本実施例では、上述した付箋保持部１０のカバー部１１を構成する上蓋１２の基端側領域２３が、紐栞装着溝２２の開口部を覆うことによって紐栞５０の脱落を防止している。
【００２０】
上記奥行き方向の寸法として、本実施例では、３ｍｍ〜５ｍｍが設定されている。この寸法が、栞取り付け部２０の背面に固定された差込部３０と付箋保持部１０の背面領域との間隙となるため、上記所定寸法は、冊子Ｂの所定箇所（例えば表紙）の厚さに応じて設計されれば良い。
なお、栞取り付け部２０は、紐栞５０が脱落しないように取り付けることができれば、他の構成であっても良い。例えば次に示す構成であっても良く、あるいは、紐栞５０はスライドせずに、脱落しないように固定されている構成であってもよい。
【００２１】
栞取り付け部２０は、例えば、図２（ａ）に示す構成では、上方に向けて突出した一対の爪部２２ａ，２２ｂ間に紐栞５０を収容し、その爪部２２ａ，２２ｂが先端側（上方）が紐栞５０の紐幅と同幅か幅狭となるように湾曲している。これにより、紐栞装着溝２２に収容された紐栞５０が、爪部２２ａ，２２ｂが先端間の隙間を通過して脱落することを防止する。この場合には、一対の爪部２２ａ，２２ｂは、栞取り付け部２０の幅方向一端から他端にわたって連続して備えられても良いし、断続して備えられても良い。
図２（ｂ）に示す構成では、紐栞装着溝２２を上方に向けて開口した円弧形状に形成し、その開口を形成する対向角２２ａ，２２ｂが紐栞５０の紐幅と同幅か幅狭となっている。これにより、紐栞装着溝２２に収容された紐栞５０が、爪部２２ａ，２２ｂが先端間の隙間を通過して脱落することを防止する。
図２（ｃ）に示す構成では、紐栞装着溝２２の凹部の開放側の距離Ｄ２を溝底側の距離Ｄ１よりも狭くなる所謂蟻溝形状に形成している。この場合には、凹部の開放側の距離Ｄ２を紐栞５０の紐幅と同幅か幅狭に形成するとともに、溝底側の距離Ｄ１を紐栞５０の紐幅よりも大きく形成する。これにより、紐栞装着溝２２に収容された紐栞５０が、爪部２２ａ，２２ｂが先端間の隙間を通過して脱落することを防止する。
図２（ｄ）に示す構成では、紐栞装着溝２２の変形例であり、溝構造の代わりに中空の円環を栞取り付け部２０の上面に突出して一体に備えた構成となっている。この場合には、溝の上方に開口が無いので紐栞５０が脱落することがない。
図２（ｅ）に示す構成では、図２（ｅ）の円環部を栞取り付け部２０に内包している。この場合には、溝の上方に開口が無いので紐栞５０が脱落することがない。
【００２２】
また、脱落防止手段は、底面が平板状に形成された蓋部材８０であって、その底面を紐栞装着溝２２の開口部に固定するものであっても良い。この場合には、紐栞装着溝２２に収容された紐栞５０は、蓋部材８０の底面８３によって脱落することが防止される。
本実施例では、蓋部材８０の一例として、図３に示すように、底面８３が平板状の円板８２が採用され、その円板６２の上面には、装飾としてマスコットキャラクター８１が固定されている。
【００２３】
本実施例では、紐栞取り付け部２０を付箋保持部１０の背面上部に固定して、紐栞装着溝２２を幅方向に備えたが、紐栞装着溝２２は奥行き方向に備えられていても良い。この場合には、付箋保持部１０のカバー部１１の上蓋１２に紐栞取り付け部２０を固定すれば良い（図３参照）。
また、紐栞取り付け部２０は、付箋保持部１０のカバー部１１の側板１４，１５に固定されていても良い。この場合には、紐栞装着溝２２は、上記奥行き方向の他に、長さ方向（高さ方向）に備えられても良い。
【００２４】
なお、蓋部材８０は上記形状に限定されず、その底面８３で紐栞５０の脱落が防止される限りにおいてどのような形状であっても良い。
また、マスコットキャラクター８１を備えず、蓋部材８０に直接装飾を施したり、シールを貼付したりするものであっても良く、或いは、マスコットキャラクター８１そのものが蓋部材８１を兼ねていても良い。または、装飾のない蓋部材８０であっても良い。
蓋部材８０の材質は、本実施例では合成樹脂が採用されている。なお、その材質は、紐栞５０の脱落が防止できる限りにおいてどのような材質であっても良い。例えば紙、金属及び木であっても良く、或いは、ビニール樹脂の薄膜やシールを貼付するものであっても良い。
【００２５】
また、他の構成として、図４に示すように上記蓋部材８０の円板８２の底面８３に下向きに開口した紐栞装着溝２２を設けて蓋部材８０に紐栞取り付け部２０としての機能を持たせても良い。この場合には、紐栞装着溝２２に沿って紐栞５０を収容するとともに、蓋部材８０の円板８２の底面を付箋保持部１０のカバー部１１の上蓋１２若しくは側板１４，１５に固定することによって、紐栞装着溝２２の開口が塞がれて紐栞５０の脱落が防止される。
【００２６】
差込部３０は所定長さに形成された合成樹脂の薄板であり、本実施例では、付箋保持部１０と同幅同長に形成されている。この差込部３０は、上述したように、紐栞取り付け部２０の奥行き方向の寸法によって付箋保持部１０の背面領域と所定の間隙（３ｍｍ〜５ｍｍ）を有している。
なお、差込部３０は、付箋保持部１０の背面領域との間隙が先端側に向けて徐々に狭くなるように形成しても良い。
また、差込部３０の形状として、板面の枠部分だけ残して中抜き形状に形成されていても良い。
【００２７】
本実施例では、差込部３０の材質として合成樹脂を採用したが、差込部３０を冊子Ｂの所定箇所に差し込んで付箋ホルダーを冊子Ｂに固定可能な限りにおいて、他の材質であっても良い。例えば、例えば紙、金属及び木であっても良く、中抜き形状に形成する場合には針金様の金属線であっても良い。また、その材質は、弾性を備えていても良い。
差込部３０の大きさは、本実施例では付箋保持部１０と同幅同長に形成しているが、冊子Ｂに固定した時に安定している限りにおいて自由に変更可能である。例えば、長さ方向に短く形成されていても良いし、或いは、上記大きさよりも大きく形成されていても良い。
【００２８】
紐栞５０の一端５１及び他端５２には、それぞれ、ストッパー部６０が固定されている。
本実施例のストッパー部６０は、一例として、図５に示すように、合成樹脂により成形された一対の半球状部６１と半球状部６２の各円形平面の外径部が互いに連結部６３を形成して連結され、円形平面同士を突き合わせて閉じ合わせた場合に球体を形成するように構成されている。一方の半球状部６２の円形平面には、該平面から突起部６４が突出し、他方の半球状部６１の円形平面には、該突起部６４を嵌合可能な凹溝６５が形成されている。
【００２９】
該円形平面間に紐栞５０の端部５１（５２）を挟み込んで突き合わせたときには、突起部６４と凹溝６５が嵌合することにより、球体が容易に開くことの無いように閉鎖されるとともに、必要あれば、球体を開いて紐栞５０から取り外すことが可能となる。
これにより、紐栞５０の一端５１及び他端５２に、それぞれ、ストッパー部６０が着脱可能に固定される。
なお、ストッパー部６０の大きさは、前記紐栞取り付け部２０の紐栞装着溝２２で形成される凹部内面の断面サイズよりも大きく形成されている。これにより、紐栞５０が一方側に引っ張られた場合であっても、ストッパー部６０が栞取り付け部２０の紐栞装着溝２２に当接するので、紐栞５０が紐栞装着溝２２から抜け落ちることが防止される。
ストッパー部６０の材質は、本実施例では合成樹脂が採用されているが、これに限定されず、他の材質であっても良い。例えば、材質として金属や木やガラスが採用されていても良い。また、ストッパー部６０が紐栞装着溝２２に当接可能であって、紐栞５０に着脱可能に固定される限りにおいて、ストッパー部６０が他の構成によって形成されていても本考案の技術的範囲内である。
【００３０】
さらに、紐栞５０の他端５２には、消しゴムＥを収容可能な消しゴムホルダー７０が着脱可能に固定されている。
消しゴムホルダー７０は、一端７２が閉塞された円筒形に形成され、その一端７２の中央部には、紐栞５０の紐幅よりも大径で且つストッパー部６０の外径よりも小径に形成された小穴７３が貫通している。さらに、消しゴムホルダー７０の円筒形状の側面には、ストッパー部６０の外径よりも大径に形成された大穴７４が貫通している。また、小穴７３と大穴７４の間は、紐栞５０の紐幅より大きな幅で貫通して形成された連結穴７５によって連結されている。
【００３１】
消しゴムホルダー７０を紐栞５０の他端５２に取り付ける場合には、前記大穴７４から消しゴムホルダー７０の内部空間７６にストッパー部６０を押し込むとともに、前記小穴７３と連結穴７５に紐栞５０を押し込んで、紐栞５０を消しゴムホルダー７０の一端７２方向に引き上げる。これにより、ストッパー部６０が消しゴムホルダー７０の内部空間７６で小穴７３に当接するので、消しゴムホルダー７０が紐栞５０の他端５２に取り付けられる。
【００３２】
消しゴムホルダー７０の内部空間７６は、市販されているシャープペンシル用の消しゴムＥが嵌合可能な内径に形成されている。
消しゴムホルダー７０の内部空間７６に消しゴムＥを嵌合挿入することにより、ストッパー部６０が小穴７３に押し付けられて、消しゴムホルダー７０が紐栞５０から脱落することを防止する。
【００３３】
なお、本実施例では、消しゴムＥとして市販されているシャープペンシル用の消しゴムを使用可能としたため、その消しゴムの形状に合わせて消しゴムホルダー７０を円筒形状としたが、これに限定されるものではなく、使用する消しゴムの形状に合わせて自由に設計変更可能である。また、消しゴムホルダー７０を紐栞５０の他端５２に取り付ける構成についても、消しゴムホルダー７０が着脱可能に取り付けられる限りにおいて、他の構成であっても本考案の技術的範囲内である。
【００３４】
また、本実施例では、消しゴムホルダー７０を紐栞５０の他端５２に取り付けたが、消しゴムホルダー７０は紐栞５０の一端５１に取り付けられても良い。
さらに、消しゴムホルダー７０は、消しゴムＥに代えて鉛筆等の筆記具を装着可能に形成しても良い。その場合には、筆記具を装着可能に形成したホルダーを紐栞５０の一端５１に取り付けても良い。
また、紐栞５０の一端５１には、マスコットキャラクターが取り付けられていても良い。
【００３５】
本実施例では付箋保持部１０と栞取り付け部２０と差込部３０の有機的な結合構成の一例として、付箋保持部１０に栞取り付け部２０が固定され、その栞取り付け部２０に差込部３０を固定した場合を説明したが、これに限定されるものではなく、他の構成であっても良い。
例えば、差込部３０は付箋保持部１０に固定されても良いし、或いは、付箋保持部１０と栞取り付け部２０の双方に固定されても良い。
または、付箋保持部１０に差込部３０が固定され、栞取り付け部２０が差込部３０に固定されていても良い。
【００３６】
また、本実施例では、差込部３０をひとつ備えた例を説明したが、差込部３０は複数備えられていても良い。例えば、図１（ｄ）に示すように、付箋保持部１０のカバー部１１の側板１５にも差込部３１を備えた構成としても良い。この場合には、冊子Ｂに付箋ホルダーを固定する場合に、使用者は、その要望に応じて差込部３０を差し込んでも良いし、差込部３１を差し込んでも良い。
【実施例２】
【００３７】
本実施例１では、付箋保持部１０と栞取り付け部２０と差込部３０がそれぞれ別体に形成され、それらの有機的な結合によって付箋ホルダーを構成する場合を説明したが、付箋保持部１０と栞取り付け部２０と差込部３０は、それらのいずれか２つ若しくは全てが一体に形成されていても良い。
本実施例では、その一例として、栞取り付け部２０と差込部３０が一体に形成されている場合を説明する。
付箋保持部１０は、所定長さの板状に形成され、その表面には、付箋束４０を貼付して脱落しないように保持することが可能な貼付領域を有し、その大きさ及び材質は前記実施例１と同様である。
【００３８】
さらに、付箋保持部１０の表面側には、少なくとも付箋束４０を貼付した場合に接着剤が塗布されていない他辺側が配される領域をカバーするカバー部１１が備えられている。
カバー部１１は、本実施例では、付箋保持部１０の板面の上側領域と付箋保持部１０の板面の下側領域に分割して備えられている。
その構成は、付箋保持部１０の板面の上側領域には、付箋保持部１０の両側辺１０ａ，１０ｂの上方側から前方（図中矢印参照）に向けて所定長さで延出した左右の側板１４，１５と、該側板１４，１５の前方辺間を連結する前板１３と、付箋保持部１０の板面、側板１４，１５及び前板１３の各上辺で囲まれた上面を塞ぐ上蓋１２を備えている。
【００３９】
また、付箋保持部１０の板面の下側領域には、付箋保持部１０の両側辺１０ａ，１０ｂの下方側から前方（図中矢印参照）に向けて所定長さで延出した左右の下側側板１４ａ，１５ａと、該下側側板１４ａ，１５ａの前方辺間を連結する下側前板１６と、付箋保持部１０の板面、下側側板１４ａ，１５ａ及び下側前板１６の各下辺で囲まれた底面を塞ぐ底板１７とを備えている。
この場合において、付箋保持部１０の板面の上側領域に備えられたカバー部１１が、少なくとも、付箋束４０を貼付した場合に接着剤が塗布されていない他辺側が配される領域をカバーする長さに形成されている。
なお、カバー部１１の材質等は前記実施例１と同様である。
【００４０】
栞取り付け部２０は、付箋保持部１０の背面上側に沿って固定される固定板２０ａと、
該固定板２０ａの上辺から背面方向に延出した板状体からなる栞取り付け部本体２１とで構成され、該栞取り付け部本体２１が上面から紐栞を収容して保持する。
この場合において、栞取り付け部本体２１には、上方に開口した紐栞装着溝２２を備え、紐栞装着溝２２は、紐栞の脱落防止手段として、上記実施例１の脱落防止手段の変形例で説明した蟻溝構造に構成されている（段落００２１の説明及び図２（ｃ）参照）。
【００４１】
差込部３０は、前記栞取り付け部本体２１の背面端から下方に向け、付箋保持部１０と同幅同長に延出した板状体で形成されている。
この場合において、差込部３０と付箋保持部１０の背面領域との所定の間隙は、栞取り付け部本体２１の奥行き方向の寸法によって決定される。なお、所定の間隙は、前記実施例１で説明した通りである。また、本実施例の差込部３０は、付箋保持部１０の背面領域との間隙が先端側に向けて徐々に狭くなるように形成されている。
栞取り付け部２０及び差込部３０の材質としては、本実施例では、弾性を備えた金属板が採用されプレス成形されている。その材質は、紐栞５０の脱落が防止され、差込部３０を冊子Ｂの所定箇所に差し込んで付箋ホルダーを冊子Ｂに固定可能な限りにおいて、他の材質であっても良く、他の成形方法であっても良い。例えば、例えば合成樹脂、紙、金属及び木であっても良い。また、その材質は、弾性を備えていいなくても良い。
【００４２】
次に、上述の各実施例による付箋ホルダーの使用形態の一例を示す。
付箋ホルダーを使用する場合には、まず、付箋保持部１０の付箋貼付領域には、予め、付箋束４０を貼付して保持させておく。このとき、付箋束４０の接着剤が塗布されていない他辺側が配される領域は、カバー部１１によってカバーされている。これにより、付箋４１がばらついた場合であっても、カバー部１１によって剥がれ落ちることが抑止されている。また、紐栞取り付け部２０の紐栞装着溝２２に紐栞５０を収容して、紐栞５０をスライド可能にセットしておく。
次に、差込部３０を冊子Ｂの所定箇所（例えば表紙の裏側）に差し込んで、付箋ホルダーを冊子Ｂに固定する。
【００４３】
そして、冊子Ｂに後から読み返しが予想される箇所や後日参考資料としたい記載をみつけた場合には、付箋束４０の最前葉の付箋４１を手指で付箋４１の糊付けされている方向（一辺側）にスライドさせることにより、付箋４１の糊付けされていない領域（他辺側）が、カバー部１１から外部へと移動して、付箋４１が付箋ホルダーから露出する。
露出した付箋４１を手指で摘まみ、剥がし取って、冊子Ｂの所望の領域に貼付する。
また、冊子Ｂに貼付した付箋４１には、鉛筆やシャープペンシル等でメモ書きを残してしても良い。
【００４４】
さらに、冊子Ｂの頁を捲り起こしたい場合には、紐栞５０の他端５２に取り付けられた消しゴムホルダー７０を手指で摘まみ、消しゴムホルダー７０に保持された消しゴムＥを頁に押し付けるとともに、捲り起こしたい方向に移動させる。このとき、消しゴムＥの摩擦によって頁が容易に捲り起こされる。消しゴムホルダー７０をこのように使用すれば、使用者が乾燥肌であったり指先が不自由であったりしても、頁捲りが容易となる。
また、冊子Ｂを閉じた後から再び開きたい頁がある場合には、紐栞５０を当該頁に挟み込んで冊子Ｂを閉じれば、後から開きたい頁の目印となる。
【００４５】
なお、当該頁が冊子Ｂの巻頭部分にある場合と巻末部分にある場合とでは、挟み込むために必要な紐栞５０の長さが相違するが、紐栞５０は紐栞装着溝２２に沿ってスライド可能であるので、紐栞５０を必要な長さに調節することができる。このとき、紐栞５０は、紐栞装着溝２２の端部に当接して引っ張られるので、紐栞５０と紐栞装着溝２２の端部との間に摩擦が生じることから、不用意に長さが変化してしまうことがなく、任意の長さに保たれる。さらに、紐栞５０を最大長さまでスライドさせた場合には、紐栞５０の端部に固定されたストッパー部６０が紐栞装着溝２２に当接して紐栞５０が紐栞装着溝２２から抜け落ちることを防止する。
【００４６】
また、紐栞５０のストッパー部６０にマスコットキャラクターが装着されていたり、紐栞取り付け部２０の脱落防止手段にマスコットキャラクターが固定されていたりすれば、付箋ホルダーを冊子Ｂに付帯させて持ち歩いた場合にファッションとしての価値が付加されることとなり、冊子Ｂの使用頻度や読書の頻度を向上することができる。
【図面の簡単な説明】
【００４７】
【図１】付箋ホルダーの第１実施例を示す説明図であり、（ａ）はカバー部の上蓋を開いた状態を示す斜視図、（ｂ）は付箋束を収容し上蓋を閉じた状態を示す斜視図、（ｃ）は（ｂ）の側面図、（ｄ）は差込部を複数備えた例を示す斜視図である。
【図２】脱落防止手段の変形例を示す説明図であり、（ａ）は脱落防止手段が一対の爪部で形成された例を示す説明図、（ｂ）は脱落防止手段が円弧形状に形成された例を示す説明図、（ｃ）は脱落防止手段が蟻溝構造に形成された例を示す説明図、（ｅ）は脱落防止手段が円環状に形成された例を示す説明図、（ｄ）は円環部を栞取り付け部に内包した例を示す説明図である。
【図３】他の脱落防止手段を示す斜視図である。
【図４】他の紐栞取り付け部を示す斜視図である。
【図５】ストッパー部の構造を示す斜視図である。
【図６】消しゴムホルダーの説明図であり、（ａ）は消しゴムホルダーの断面図、（ｂ）は消しゴムホルダーを紐栞に取り付ける方法を示した斜視図である。
【図７】付箋ホルダーの使用状態を示す斜視図である。
【図８】付箋ホルダーの第２実施例を示す説明図であり、（ａ）は付箋束を収容した状態を示す斜視図、（ｂ）は（ａ）の側面図、（ｃ）は付箋を取り出した状態を示す斜視図である。
【符号の説明】
【００４８】
１０  付箋保持部
２０  栞取り付け部
２２  紐栞装着溝
３０  差込部
４０  付箋束
５０  紐栞
５１  紐栞の一端
５２  紐栞の他端
６０  ストッパー部
７０  消しゴムホルダー
Ｂ  冊子
Ｅ  消しゴム
【図１】
0003129599.tif 000003
【図２】
0003129599.tif 000004
【図３】
0003129599.tif 000005
【図４】
0003129599.tif 000006
【図５】
0003129599.tif 000007
【図６】
0003129599.tif 000008
【図７】
0003129599.tif 000009
【図８】
0003129599.tif 000010